(57)【要約】      （修正有）【課題】少ない部材数で組み立てられるとともに組み立てに使用した切り込みや部材間の切れ目がほとんど見えない良好な外観を有する組立式載置台を提供する。【解決手段】組立式載置台は、平面視矩形状の天板部１と、天板部の下面に取り付けられた脚部２と、脚部の内側に取り付けられた連結部３とを備える。天板部の底面部１５に形成された係合孔に側面部１１から接続部１２を介して連接された第一差込片部１３及び１４を差し込み、脚部の正面脚部２０及び側面脚部２１に形成された第二差込片部２０ａ及び２１ａを第一差込片部と重ね合せるように係合孔に差し込んで、天板部の上面部１０の内面に各差込片部の先端部が当接して支持するようになっている。【選択図】図３
0003198335.tif 000002
【実用新案登録請求の範囲】
【請求項１】
平面視矩形状の天板部と、前記天板部の下面に取り付けられた脚部と、前記脚部の内側に取り付けられた連結部とを備えている組立式載置台において、
前記天板部は、矩形状の上面部と、前記上面部の周囲に連接されて折り曲げられた４つの側面部と、前記側面部の１つに連接されて前記上面部と対向配置するように折り曲げられた底面部とを備えており、前記底面部が連接されていない前記側面部は、それぞれ接続部を介して第一差込片部が連接されているとともに前記接続部を前記上面部に当接するように折り曲げて前記第一差込片部を前記上面部に形成された係合孔に差し込んで係合状態に設定されており、
前記脚部は、矩形状の正面脚部と、前記正面脚部の両側に連接され平面視コ字状に折り曲げられた一対の側面脚部と、前記側面脚部に折り返し部を介して連接されて当該折り返し部を折り返して前記側面脚部の内側に配置された補強部とを備えており、前記正面脚部及び前記側面脚部に形成された第二差込片部を前記第一差込片部と重ね合せるように前記係合孔に差し込んで係合状態に設定されており、
前記第一及び第二差込片部の先端部は、前記上面部の内面に当接した状態に設定されている組立式載置台。
【請求項２】
前記連結部は、折り返し部を介して連接されるとともに両側の短側辺から所定幅だけ内側の位置に第二嵌合孔が短側辺に沿って形成されている矩形状の一対の連結板部を備えており、前記連結板部を重ね合せた状態で前記脚部の前記補強部に形成された第一嵌合孔に前記第二嵌合孔を差し込んで前記側面脚部の内側に連結固定されている請求項１に記載の組立式載置台。
【考案の詳細な説明】
【技術分野】
【０００１】
本考案は、段ボール材等の折り曲げ可能な板材を用いて組み立てる載置台に関する。
【背景技術】
【０００２】
従来より段ボール材等の折り曲げ可能な板材を用いて組み立てた机、テーブル、支持台等の什器類が提案されている。こうした什器類では、段ボール材を用いることで軽量化することができ、設置場所で簡単に組み立てて使用したり分解してコンパクトに収納することもできるため、取扱いが容易である、といった利点がある。
【０００３】
段ボール材を用いた机としては、例えば、特許文献１では、一対の脚部を背面部の左右の端部に取り付け、脚部に形成された一対の四角柱状体の互いに対向する面の上端部には、梁状部が嵌め込まれて固定されており、天板部が脚部の上面及び梁状部の上面に取り付けられる段ボール机が記載されている。また、特許文献２では、上面及び底面に複数の孔が設けられた６面体となる箱本体と、底面から立設し上面に当接することにより上面及び底面を支える複数の補強壁とを備えている段ボール製展示台が記載されている。また、特許文献３では、厚紙で作製した左右一対の側体、前板、棚体及び天板から構成され、これら構成部材を各折目から折り曲げ、各差込孔及び差込溝に差し込んで組み立て、天板と棚体との間に収納空間を形成した組立て机が記載されている。
【先行技術文献】
【特許文献】
【０００４】
【特許文献１】特開２００１−２２４４３８号公報
【特許文献２】特開２０１１−０３７４５７号公報
【特許文献３】特開２０１４−００４０７６号公報
【考案の概要】
【考案が解決しようとする課題】
【０００５】
上述した特許文献では、段ボール材や厚紙といった材料を用いているため、軽量化が図られているものの、組立に用いる部材数が多くなって総重量が重くなるといった課題がある。また、部材数が多くなると、組み立てが複雑になって作業時間を要するようになり、部材同士の嵌め込み部分が増えることで強度が弱くなる、といった課題がある。
【０００６】
特許文献２に記載された展示台のように、組み立てに使用した切り込みや部材間の隙間が外表面に表出している場合、外観上そのままの状態で使用することができず、外表面を覆う布等が別途必要となる。
【０００７】
そこで、本考案は、少ない部材数で組み立てられるとともに組み立てに使用した切り込みや部材間の切れ目がほとんど見えない良好な外観を有する組立式載置台を提供することを目的とするものである。
【課題を解決するための手段】
【０００８】
本考案に係る組立式載置台は、平面視矩形状の天板部と、前記天板部の下面に取り付けられた脚部と、前記脚部の内側に取り付けられた連結部とを備えている組立式載置台において、前記天板部は、矩形状の上面部と、前記上面部の周囲に連接されて折り曲げられた４つの側面部と、前記側面部の１つに連接されて前記上面部と対向配置するように折り曲げられた底面部とを備えており、前記底面部が連接されていない前記側面部は、それぞれ接続部を介して第一差込片部が連接されているとともに前記接続部を前記上面部に当接するように折り曲げて前記第一差込片部を前記上面部に形成された係合孔に差し込んで係合状態に設定されており、前記脚部は、矩形状の正面脚部と、前記正面脚部の両側に連接され平面視コ字状に折り曲げられた一対の側面脚部と、前記側面脚部に折り返し部を介して連接されて当該折り返し部を折り返して前記側面脚部の内側に配置された補強部とを備えており、前記正面脚部及び前記側面脚部に形成された第二差込片部を前記第一差込片部と重ね合せるように前記係合孔に差し込んで係合状態に設定されており、前記第一及び第二差込片部の先端部は、前記上面部の内面に当接した状態に設定されている。さらに、前記連結部は、折り返し部を介して連接されるとともに両側の短側辺から所定幅だけ内側の位置に第二嵌合孔が短側辺に沿って形成されている矩形状の一対の連結板部を備えており、前記連結板部を重ね合せた状態で前記脚部の前記補強部に形成された第一嵌合孔に前記第二嵌合孔を差し込んで前記側面脚部の内側に連結固定されている。
【考案の効果】
【０００９】
本考案は、上記のような構成を有することにより、少ない部材数で組み立てることができ、組み立てに使用した切り込みや部材間の切れ目が見えない良好な外観を有するようになる。
【図面の簡単な説明】
【００１０】
【図１】組立式載置台に関する斜視図である。
【図２】組立式載置台に関する正面図である。
【図３】組立式載置台に関する背面図である。
【図４】組立式載置台に関する底面図である。
【図５】組立式載置台に関する側面図である。
【図６】天板部に関する展開図である。
【図７】脚部に関する展開図である。
【図８】連結部に関する展開図である。
【図９】組立式載置台の収納状態から組立状態までの過程を示す説明図である。
【図１０】組立式載置台の収納状態から組立状態までの過程を示す説明図である。
【図１１】組立式載置台の収納状態から組立状態までの過程を示す説明図である。
【図１２】組立式載置台の収納状態から組立状態までの過程を示す説明図である。
【図１３】組立式載置台の収納状態から組立状態までの過程を示す説明図である。
【図１４】組立式載置台の収納状態から組立状態までの過程を示す説明図である。
【考案を実施するための形態】
【００１１】
以下、本考案に係る実施形態について詳しく説明する。なお、以下に説明する実施形態は、本考案を実施するにあたって好ましい具体例であるから、技術的に種々の限定がなされているが、本考案は、以下の説明において特に本考案を限定する旨明記されていない限り、これらの形態に限定されるものではない。
【００１２】
図１は、組立式載置台に関する斜視図であり、図２〜図５は、組立式載置台に関する正面図、背面図、底面図及び側面図をそれぞれ示している。組立式載置台は、平面視矩形状の天板部１、天板部１の下面に取り付けられた平面視コ字状の脚部２及び脚部２の内側に取り付けられた矩形状の連結部３を備えている。
【００１３】
天板部１、脚部２及び連結部３は、それぞれ所定厚さの同じ段ボール材を用いて後述する形状に切断して折り曲げて形成されている。図６は、天板部１に関する展開図であり、図７は、脚部２に関する展開図であり、図８は、連結部３に関する展開図である。天板部１は、平面時矩形状で所定の厚さの直方体状に形成されている。展開した状態では、矩形状の上面部１０の周囲には、長側辺及び短側辺の四辺に、全長にわたってそれぞれ細幅の側面部１１が連接されており、一方の長側辺に形成された側面部１１の外側辺には、細幅の接続部１２を介して側面部１１とほぼ同じ幅の第一差込片部１３が連接されている。また、上面部１０の両方の短側辺に形成された側面部１１には、外側辺に細幅の接続部１２を介して側面部１１とほぼ同じ幅の第一差込片部１４がそれぞれ連接されており、両端の短側辺に折込片部１７が連接されている。他方の長側辺に形成された側面部１１の外側辺には、上面部１０と同じ矩形状の底面部１５が連接されており、底面部１５の外側辺には、側面部１１とほぼ同じ幅の折込片部１６が全長にわたって連接されている。
【００１４】
底面部１５には、外側辺から接続部１２とほぼ同じ幅だけ内側の位置において外側辺に沿って直線状の係合孔１５ａが穿設されており、係合孔１５ａは、第一差込片部１３とほぼ同じ長さで第一差込片部１３の厚さのほぼ２倍の幅に形成されている。また、底面部１５の両方の短側辺から接続部１２とほぼ同じ幅だけ内側の位置において短側辺に沿って直線状の係合孔１５ｂがそれぞれ穿設されており、係合孔１５ｂは、第一差込片部１４とほぼ同じ長さで第一差込片部１４の厚さのほぼ２倍の幅に形成されている。両方の係合孔１５ｂの内側には、上面部１０側の端部において係合孔１５ｂに沿って所定長さの係合孔１５ｃが形成されている。
【００１５】
天板部１を構成する各部１０〜１７の境界には直線状の折り目が予め付けられており、上面部１０の周囲の折り目に沿って折り曲げて側面部１１を立設した状態にして両端の折込片部１７を内側に折り曲げ、さらに側面部１１と底面部１５との間の折り目に沿って折り曲げて底面部１５を上面部１０と対向配置した状態として直方体状に形成する。そして、折込片部１６を対向する側面部１１の内側に差し込むようにする。また、接続部１２を折り目に沿って内側に折り曲げて第一差込片部１３及び１４を折り目に沿って折り曲げることで、第一差込片部１３を係合孔１５ａに差し込むとともに第一差込片部１４を係合孔１５ｂに差し込んで係合状態に設定する。
【００１６】
第一差込片部１３及び１４は、図２及び図３に示すように、係合状態において先端部が上面部１０の内面に当接した状態となり、上面部１０を三辺の内側においてライン状に支持するようになって、上面部１０に物品が載置された場合の変形に対する補強効果が得られるようになる。また、天板部１の周囲では、上面部１０から側面部１１を介して接続部１２又は底面部１５が連接されており、段ボール材の切れ目が四隅以外に表出しない外観となっている。そのため、段ボール材の端部等の断面が上面及び側面に露出していない良好な外観を呈しており、展示会や祭礼等で使用する場合に、布等で覆うことなくそのまま使用することができる。
【００１７】
脚部２は、矩形状の正面脚部２０の両方の短側辺に矩形状の側面脚部２１が連接されており、側面脚部２１の外側辺には、細幅の折り返し部２２を介して矩形状の補強部２３が連接されている。正面脚部２０の一方の長側辺には、第一差込片部１３とほぼ同じ幅の第二差込片部２０ａが形成されており、側面脚部２１には、第二差込片部２０ａと同じ側に第一差込片部１４とほぼ同じ幅の第二差込片部２１ａが形成されている。補強部２３には、第二差込片部２０ａと同じ側に第三差込片部２３ａが形成されている。折り返し部２２には、幅方向に第一嵌合孔２４が穿設されており、第一嵌合孔２４は、補強部２３のほぼ中央部分にまで延設されている。脚部２を構成する各部２０〜２３の境界には直線状の折り目が予め付けられており、後述するように、各部の間を折り目に沿って折り曲げることで、脚部２を組み立てることができる。
【００１８】
第二差込片部２０ａは、第一差込片部１３と重ね合せた状態で係合孔１５ａに差し込まれており、第二差込片部２１ａは、第一差込片部１４とともに係合孔１５ｂに差し込まれており、第三差込片部２３ａは、係合孔１５ｃに差し込んで脚部２が天板部１に取り付けられる。そのため、係合孔１５ａ及び１５ｂに差し込まれた第一差込片部１３及び第二差込片部２０ａ並びに第一差込片部１４及び第二差込片部２１ａが二重に差し込まれて上面部１０の内面に当接して支持するようになり、補強効果を向上させることができる。また、側面脚部２１から折り返し部２２を内側に折り曲げて補強部２３が側面脚部２１の内側に並行に配置されるとともに第一嵌合孔２４が内側の補強部２３に配置されているので、外観上、正面脚部２０、側面脚部２１及び折り返し部２２が連続して表出して切れ目がない形状となっており、脚部２は、段ボール材の端部等の断面が露出していない良好な外観を呈している。
【００１９】
連結部３は、矩形状の一対の連結板部３０及び３１が細幅の折り返し部３２を介して接続するように形成されており、連結板部３０及び３１の両側の短側辺から所定幅だけ内側の位置において、外側辺より第二嵌合孔３０ａ及び３１ａが同じ長さで短側辺に沿って形成されている。折り返し部３２の両側の境界には直線状の折り目が予め付けられており、折り目に沿って折り曲げて連結板部３０及び３１を重ね合せることで、第二嵌合孔３０ａ及び３１ａが重なり合うようになっている。
【００２０】
連結部３は、連結板部３０及び３１を重ね合せた状態で、脚部２の補強部２３に形成された第一嵌合孔２４に第二嵌合孔３０ａ及び３１ａが挿入されるように差し込むことで、側面脚部２１の内側に連結固定される。そのため、脚部２は、両側の側面脚部２１及び補強部２３が連結部３により連結固定されて、外側に拡がるように変形しないように補強される。また、側面脚部２１及び補強部２３の間に連結板部３０及び３１の端部が挿入されて側面脚部２１及び補強部２３の間を補強するようになる。また、連結部３は、外観上、連結板部３０、折り返し部３２及び連結板部３１が連続して表出して切れ目のない形状となっており、連結部３は、段ボール材の端部等の断面が露出していない良好な外観を呈している。
【００２１】
図９から図１４は、組立式載置台の収納状態から組立状態までの過程を示す説明図である。図９は、収納状態を示す斜視図である。収納状態では、天板部１を収納箱として使用し、その内部に脚部２及び連結部３を展開した状態で収納している。
【００２２】
天板部１は、上面部１０の周囲の折り目に沿って折り曲げて側面部１１を立設した状態にし、さらに側面部１１と底面部１５との間の折り目に沿って折り曲げて底面部１５を上面部１０と対向配置した状態として直方体状に形成している。そして、折込片部１６を対向する側面部１１の内側に差し込み、接続部１２を折り目に沿って内側に折り曲げて第一差込片部１３及び１４を折り目に沿って折り曲げることで、第一差込片部１３を係合孔１５ａに差し込むとともに第一差込片部１４を係合孔１５ｂに差し込んで、収納箱として使用する。
【００２３】
そして、組み立てる場合には、図１０に示すように、収納箱として使用する天板部１を展開し、展開された状態の脚部２及び連結部３を取り出す。そして、図１１に示すように、展開された状態の脚部２を折り目に沿って折り曲げ、正面脚部２０の両側に側面脚部２１をほぼ９０度の角度で折り曲げた状態に設定し、側面脚部２１から折り返し部２２を介して補強部２３を内側に折り返して側面脚部２１とほぼ平行となるように設定する。また、図１２に示すように、連介された状態の連結部３を折り返し部３２の両側の折り目に沿って折り曲げて連結板部３０及び３１が重なり合う状態に設定する。
【００２４】
次に、天板部１に脚部２を取り付ける。図１３に示すように、脚部２の第二差込片部２０ａ及び２１ａ並びに第三差込片部２３ａを底面部１５の係合孔１５ａ、１５ｂ及び１５ｃに差し込み、さらに、第二差込片部２０ａ及び２１ａにそれぞれ重ね合せるように、第一差込片部１３及び１４を係合孔１５ａ及び１５ｂに差し込む。こうして、第一及び第二差込片部が係合孔１５ａ及び１５ｂ内でしっかりと取付固定されて脚部２が不用意に抜けて外れることがなくなる。また、差し込んだ第一及び第二差込片部の先端部が天板部１の上面部１０の内面に当接して支持するようになり、上面部１０に物品を載置した際に上面部１０が撓まないように補強する。
次に、脚部２に連結部３を取り付ける。図１４に示すように、連結板部３０及び３１を重ね合せた状態で第二嵌合孔３０ａ及び３１ａを脚部２の第一嵌合孔２４に挿入し、連結板部３０及び３１の両端部を脚部２の側面脚部２１及び補強部２３の間に嵌め込む。こうして、脚部２の側面脚部２１の間を連結部３により連結して補強することができる。また、連結部３は、棚板として使用することもできる。
【００２５】
以上説明したように、天板部内に展開した状態で脚部及び連結部を収納してコンパクトな収納状態とすることができ、また３つの部材を折り曲げて簡単に組み立てることが可能となっている。
【産業上の利用可能性】
【００２６】
本考案は、段ボール材を用いているため軽量で簡単に組み立てることが可能となっており、展開することでコンパクトに収納することができる。また、載置台として組み立てた状態では、段ボール材の切れ目等が天板部の四隅以外に表出しない良好な外観を備えており、展示会や祭礼等において人目に触れる場所の載置台として使用する場合でもそのまま使用することができる。そして、天板部の上面部及び脚部が補強されているため、重量物を載置した場合でもほとんど変形することがなく安定した状態で支持することが可能となる。そのため、葬儀、祭礼、展示会等において短期間使用する載置台として好適である。
【符号の説明】
【００２７】
１・・・天板部、１０・・・上面部、１１・・・側面部、１２・・・接続部、１３・・・第一差込片部、１４・・・第一差込片部、１５・・・底面部、１６・・・折込片部、２・・・脚部、２０・・・正面脚部、２０ａ・・・第二差込片部、２１・・・側面脚部、２１ａ・・・第二差込片部、２２・・・折り返し部、２３・・・補強部、２４・・・第一嵌合孔、３・・・連結部、３０、３１・・・連結板部、３０ａ、３１ａ・・・第二嵌合孔、３２・・・折り返し部
【図１】
0003198335.tif 000003
【図２】
0003198335.tif 000004
【図３】
0003198335.tif 000005
【図４】
0003198335.tif 000006
【図５】
0003198335.tif 000007
【図６】
0003198335.tif 000008
【図７】
0003198335.tif 000009
【図８】
0003198335.tif 000010
【図９】
0003198335.tif 000011
【図１０】
0003198335.tif 000012
【図１１】
0003198335.tif 000013
【図１２】
0003198335.tif 000014
【図１３】
0003198335.tif 000015
【図１４】
0003198335.tif 000016